(57)【特許請求の範囲】
【請求項１】
無線端末における方法であって、
第２のキャリアのデータ・チャネルから、第１のキャリアの制御フォーマット情報を復号することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号することと、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号することと、
を備える方法。
【請求項２】
前記制御フォーマット情報が復号されたことを示すインジケーションを含む、前記制御フォーマット情報のアクノレッジメントを送信すること、をさらに備える請求項１に記載の方法。
【請求項３】
前記伝送ブロックのシンボル（Ｎ＋１）乃至最後のシンボルを、データとして解釈すること、をさらに備える請求項１に記載の方法。
【請求項４】
前記伝送ブロックのシンボル１乃至Ｎを、制御情報として解釈すること、をさらに備える請求項１に記載の方法。
【請求項５】
前記制御フォーマット情報は、ラジオ・リソース制御（ＲＲＣ）レイヤによってシグナルされた制御フォーマット・インジケータ（ＣＦＩ）を備える、請求項１に記載の方法。
【請求項６】
基地局における方法であって、
第２のキャリアの伝送ブロックのデータ・チャネルで、第１のキャリアの制御フォーマット情報を送信することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信することと、ここで、Ｎの値が、Ｎの前の値（Ｎｐｒｅ）よりも小さい場合に、各伝送ブロックのシンボル（Ｎｐｒｅ＋１）乃至最後のシンボルは、データとともに符号化され、シンボル（Ｎ＋１）乃至Ｎｐｒｅは符号化されない、ここで、Ｎの値が、Ｎｐｒｅの値よりも大きい場合に、各伝送ブロックのシンボル（Ｎ＋１）乃至最後のシンボルは、データとともに符号化され、シンボル（Ｎｐｒｅ＋１）乃至Ｎは符号化されない、
を備える方法。
【請求項７】
前記制御フォーマット情報が無線端末によって復号されたことを示すアクノレッジメントを受信することと、
前記第１のキャリアで伝送ブロックを送信することと、ここで、各伝送ブロックのシンボル（Ｎ＋１）乃至Ｎｐｒｅは、Ｎの値が、Ｎｐｒｅの値よりも小さい場合に、データとともに符号化される、
前記第１のキャリアで伝送ブロックを送信することと、ここで、各伝送ブロックのシンボル（Ｎｐｒｅ＋１）乃至Ｎは、Ｎの値が、Ｎｐｒｅの値よりも大きい場合に、制御情報とともに符号化される、
をさらに備える請求項６に記載の方法。
【請求項８】
無線端末であって、
第２のキャリアのデータ・チャネルから、第１のキャリアの制御フォーマット情報を復号する手段と、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号する手段と、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号する手段と、
を備える無線端末。
【請求項９】
前記制御フォーマット情報のアクノレッジメントを送信する手段をさらに備え、
前記アクノレッジメントは、前記制御フォーマット情報が復号されたことを示すインジケーションを含む、請求項８に記載の無線端末。
【請求項１０】
前記伝送ブロックのシンボル（Ｎ＋１）乃至最後のシンボルを、データとして解釈する手段、をさらに備える請求項８に記載の無線端末。
【請求項１１】
前記伝送ブロックのシンボル１乃至Ｎを、制御情報として解釈する手段、をさらに備える請求項８に記載の無線端末。
【請求項１２】
前記制御フォーマット情報は、ラジオ・リソース制御（ＲＲＣ）レイヤによってシグナルされた制御フォーマット・インジケータ（ＣＦＩ）を備える、請求項８に記載の無線端末。
【請求項１３】
基地局であって、
第２のキャリアのデータ・チャネルで、第１のキャリアの制御フォーマット情報を送信する手段と、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信する手段と、ここで、Ｎの値が、Ｎの前の値（Ｎｐｒｅ）よりも小さい場合に、各伝送ブロックのシンボル（Ｎｐｒｅ＋１）乃至最後のシンボルは、データとともに符号化され、シンボル（Ｎ＋１）乃至Ｎｐｒｅは符号化されない、ここで、Ｎの値が、Ｎｐｒｅの値よりも大きい場合に、各伝送ブロックのシンボル（Ｎ＋１）乃至最後のシンボルは、データとともに符号化され、シンボル（Ｎｐｒｅ＋１）乃至Ｎは符号化されない、
を備える基地局。
【請求項１４】
前記制御フォーマット情報が無線端末によって復号されたことを示すアクノレッジメントを受信する手段と、
前記第１のキャリアで伝送ブロックを送信する手段と、ここで、各伝送ブロックのシンボル（Ｎ＋１）乃至Ｎｐｒｅは、Ｎの値が、Ｎｐｒｅの値よりも小さい場合に、データとともに符号化される、
前記第１のキャリアで伝送ブロックを送信する手段と、ここで、各伝送ブロックのシンボル（Ｎｐｒｅ＋１）乃至Ｎは、Ｎの値が、Ｎｐｒｅの値よりも大きい場合に、制御情報とともに符号化される、
をさらに備える請求項１２に記載の基地局。
【請求項１５】
装置であって、
プロセッサと、
前記プロセッサによって実行された場合、
第２のキャリアのデータ・チャネルから、第１のキャリアの制御フォーマット情報を復号することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号することと、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号することと、
を実行するように前記装置を設定するプロセッサ実行可能な命令群を備えるメモリと、
を備える装置。
【請求項１６】
前記プロセッサによって実行された場合、前記制御フォーマット情報のアクノレッジメントを送信すること、ここで、前記アクノレッジメントは、前記制御フォーマット情報が復号されたことを示すインジケーションを含む、を実行するように前記装置を設定するプロセッサ実行可能な命令群をさらに備える、請求項１５に記載の装置。
【請求項１７】
前記プロセッサによって実行された場合、前記伝送ブロックのシンボル（Ｎ＋１）乃至最後のシンボルを、データとして解釈すること、を実行するように前記装置を設定するプロセッサ実行可能な命令群をさらに備える、請求項１５に記載の装置。
【請求項１８】
前記プロセッサによって実行された場合、前記伝送ブロックのシンボル１乃至Ｎを、制御情報として解釈すること、を実行するように前記装置を設定するプロセッサ実行可能な命令群をさらに備える、請求項１５に記載の装置。
【請求項１９】
前記制御フォーマット情報は、ラジオ・リソース制御（ＲＲＣ）レイヤによってシグナルされた制御フォーマット・インジケータ（ＣＦＩ）を備える、請求項１５に記載の装置。
【請求項２０】
装置であって、
プロセッサと、
前記プロセッサによって実行された場合、
第２のキャリアのデータ・チャネルで、第１のキャリアの制御フォーマット情報を送信することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信することと、ここで、Ｎの値が、Ｎの前の値（Ｎｐｒｅ）よりも小さい場合に、各伝送ブロックのシンボル（Ｎｐｒｅ＋１）乃至最後のシンボルは、データとともに符号化され、シンボル（Ｎ＋１）乃至Ｎｐｒｅは符号化されない、ここで、Ｎの値が、Ｎｐｒｅの値よりも大きい場合に、各伝送ブロックのシンボル（Ｎ＋１）乃至最後のシンボルは、データとともに符号化され、シンボル（Ｎｐｒｅ＋１）乃至Ｎは符号化されない、
を実行するように前記装置を設定するプロセッサ実行可能な命令群を備えるメモリと、
を備える装置。
【請求項２１】
前記プロセッサによって実行された場合、
前記制御フォーマット情報が無線端末によって復号されたことを示すアクノレッジメントを受信することと、
前記第１のキャリアで伝送ブロックを送信することと、ここで、各伝送ブロックのシンボル（Ｎ＋１）乃至Ｎｐｒｅは、Ｎの値が、Ｎｐｒｅの値よりも小さい場合に、データとともに符号化される、
前記第１のキャリアで伝送ブロックを送信することと、ここで、各伝送ブロックのシンボル（Ｎｐｒｅ＋１）乃至Ｎは、Ｎの値が、Ｎｐｒｅの値よりも大きい場合に、制御情報とともに符号化される、
を実行するように前記装置を設定するプロセッサ実行可能な命令群をさらに備える、請求項２０に記載の装置。
【請求項２２】
命令群を記録するコンピュータ読取可能な記録媒体であって、
前記命令群は、機械によって実行されると、
第２のキャリアのデータ・チャネルから、第１のキャリアの制御フォーマット情報を復号することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号することと、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号することと、
を実行するように前記機械を設定する、コンピュータ読取可能な記録媒体。
【請求項２３】
前記制御フォーマット情報のアクノレッジメントを送信するように前記機械を設定する命令群をさらに備え、
前記アクノレッジメントは、前記制御フォーマット情報が復号されたことを示すインジケーションを含む、請求項２２に記載のコンピュータ読取可能な記録媒体。
【請求項２４】
前記伝送ブロックのシンボル（Ｎ＋１）乃至最後のシンボルを、データとして解釈するように前記機械を設定する命令群をさらに備える、請求項２２に記載のコンピュータ読取可能な記録媒体。
【請求項２５】
前記伝送ブロックのシンボル１乃至Ｎを、制御情報として解釈するように前記機械を設定する命令群をさらに備える、請求項２２に記載のコンピュータ読取可能な記録媒体。
【請求項２６】
前記制御フォーマット情報は、ラジオ・リソース制御（ＲＲＣ）レイヤによってシグナルされた制御フォーマット・インジケータ（ＣＦＩ）を備える、請求項２２に記載のコンピュータ読取可能な記録媒体。
【請求項２７】
命令群を記録するコンピュータ読取可能な記録媒体であって、
前記命令群は、機械によって実行されると、
第２のキャリアのデータ・チャネルで、第１のキャリアの制御フォーマット情報を送信することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信することと、ここで、Ｎの値が、Ｎの前の値（Ｎｐｒｅ）よりも小さい場合に、各伝送ブロックのシンボル（Ｎｐｒｅ＋１）乃至最後のシンボルは、データとともに符号化され、シンボル（Ｎ＋１）乃至Ｎｐｒｅは符号化されない、ここで、Ｎの値が、Ｎｐｒｅの値よりも大きい場合に、各伝送ブロックのシンボル（Ｎ＋１）乃至最後のシンボルは、データとともに符号化され、シンボル（Ｎｐｒｅ＋１）乃至Ｎは符号化されない、
を実行するように前記機械を設定する、コンピュータ読取可能な記録媒体。
【請求項２８】
前記制御フォーマット情報が無線端末によって復号されたことを示すアクノレッジメントを受信することと、
前記第１のキャリアで伝送ブロックを送信することと、ここで、各伝送ブロックのシンボル（Ｎ＋１）乃至Ｎｐｒｅは、Ｎの値が、Ｎｐｒｅの値よりも小さい場合に、データとともに符号化される、
前記第１のキャリアで伝送ブロックを送信することと、ここで、各伝送ブロックのシンボル（Ｎｐｒｅ＋１）乃至Ｎは、Ｎの値が、Ｎｐｒｅの値よりも大きい場合に、制御情報とともに符号化される、
を実行するように前記機械を設定する命令群をさらに備える、請求項２７に記載のコンピュータ読取可能な記録媒体。
【発明の詳細な説明】
【関連出願】
【０００１】
本願は、本明細書において参照によって明確に組み込まれ、本願の譲受人に譲渡された、２０１０年２月１８日出願の「キャリア間割当のためのリソース・ブロック・マッピング」（Resource Block Mapping for Cross-Carrier Assignments）と題された米国仮出願６１／３０５，８３８号への優先権を主張する。
【技術分野】
【０００２】
本発明の実施形態は、一般に、無線通信システムに関し、さらに詳しくは、マルチ・キャリア無線通信システムにおけるキャリア間リソース・マッピングに関する。
【背景技術】
【０００３】
本項は、開示された実施形態に対する背景またはコンテキストを提供することが意図されている。本明細書における記載は、追求されうる主題を含みうるが、この主題は、必ずしも以前に想到も追求もされる必要は無かった。したがって、ここで特に示されていないのであれば、本項で説明されているものは、本明細書における詳細説明および特許請求の範囲に対する従来技術ではなく、本項に含まれていることによって、従来技術であるとは認められない。
【０００４】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００５】
従来の無線ネットワークでは、データ信号と制御信号とは同じキャリアに含められる。これらのシステムでは、無線端末は、キャリアで送信されるデータ・リソースのうちのどれが無線端末に割り当てられるのかを決定するために、ダウリンク・キャリアにおける制御情報を復号しうる。無線端末はまた、無線端末にサービス提供する基地局によって、無線端末に対して許可されたアップリンク・リソースを決定するためにも、この制御情報を使用する。例えば、３ＧＰＰ（第３世代パートナシップ計画）ＬＴＥ（ロング・ターム・イボリューション）規格のリリース８では、ダウンリンク・キャリアの各サブフレームが、物理ダウンリンク制御チャネル（ＰＤＣＣＨ）と物理ダウンリンク共有データ・チャネル（ＰＤＳＤＣＨ）とを含む。ＰＤＣＣＨは、サブフレームの先頭において、ダウンリンク制御フォーマット・インジケータ・チャネル（ＰＤＣＦＩＣＨ）内に制御フォーマット・インジケータ（ＣＦＩ）を含める。これは、時間領域を占有するシンボルの数によって、ＰＤＣＣＨの持続時間を識別する。この情報を用いて、無線端末は、どこで制御チャネルが終了し、データ・チャネルが始まるかを認識する。
【発明の概要】
【０００６】
開示された実施形態は、第２のキャリアのデータ・チャネルから、第１のキャリアの制御フォーマット情報を復号することと、ここで、制御フォーマット情報は、第１のキャリアの制御チャネルを備えるシンボルの数Ｎを指定する、ここで、Ｎは、最小値Ｎｍｉｎおよび最大値Ｎｍａｘを有する、第１のキャリアの伝送ブロックの（Ｎｍａｘ＋１）番目のシンボルから、伝送ブロックの最後のシンボルまで、伝送ブロックからのシンボルを復号することと、第１のキャリアの伝送ブロックの（Ｎｍａｘ）番目のシンボルから（Ｎｍｉｎ＋１）番目のシンボルへと、逆の順序で、伝送ブロックからのシンボルを復号することと、のための方法、装置、および、製造物品を含む。
【０００７】
他の開示された実施形態はさらに、制御フォーマット情報のアクノレッジメントを送信することと、ここで、アクノレッジメントは、制御フォーマット情報が復号されたことを示すインジケーションを含む、伝送ブロックのシンボル（Ｎ＋１）乃至最後のシンボルをデータとして解釈することと、伝送ブロックのシンボル１乃至Ｎを制御情報として解釈することと、のための方法、装置、および、製造物品を含む。
【０００８】
さらに他の開示された実施形態は、第２のキャリアのデータ・チャネルで、第１のキャリアの制御フォーマット情報を送信することと、ここで、制御フォーマット情報は、第１のキャリアの制御チャネルを備えるシンボルの数Ｎを指定する、ここで、Ｎは、最小値Ｎｍｉｎおよび最大値Ｎｍａｘを有する、第１のキャリアで伝送ブロックを送信することと、ここで、各伝送ブロックのシンボル（Ｎ＋１）乃至最後のシンボルは、データとともに符号化され、シンボル（Ｎｍｉｎ＋１）乃至Ｎは符号化されない、のための方法、装置、および、製造物品を含む。
【０００９】
他の開示された実施形態はさらに、制御フォーマット情報が無線端末によって復号されたことを示すアクノレッジメントを受信することと、第１のキャリアで伝送ブロックを送信することと、ここで、各伝送ブロックのシンボル（Ｎｍｉｎ＋１）乃至Ｎは、Ｎの値が、Ｎの前の値よりも小さい場合に、データとともに符号化される、第１のキャリアで伝送ブロックを送信することと、ここで、各伝送ブロックのシンボル（Ｎｍｉｎ＋１）乃至Ｎは、Ｎの値が、Ｎの前の値よりも大きい場合に、制御情報とともに符号化される、のための方法、装置、および、製造物品を含む。
【図面の簡単な説明】
【００１０】
本開示のさまざまな態様は、限定することなく、以下の添付図面の図において、一例として例示される。
【図１】図１は、１つの実施形態における無線ネットワークを例示する。
【図２】図２は、無線通信システムを例示するブロック図である。
【図３】図３は、典型的なラジオ・プロトコル・アーキテクチャを例示する。
【図４】図４は、典型的なラジオ・フレーム構造を例示する。
【図５】図５は、典型的な時間／周波数リソース割当を例示する。
【図６】図６は、ユーザ機器によって実行されうる典型的な方法を例示するフローチャートである。
【図７】図７は、基地局によって実行されうる典型的な方法を例示するフローチャートである。
【図８】図８は、典型的な通信装置を例示する。
【発明を実施するための形態】
【００１１】
以下の記載では、説明の目的のために、限定することなく、開示されたさまざまな実施形態の完全な理解を提供するために、詳細および説明が記載されている。
【００１２】
しかしながら、これらさまざまな実施形態は、これら具体的な詳細や説明から離れたその他の実施形態でも実現されうることが、当業者に明らかになるであろう。
【００１３】
本明細書において使用されるような用語「構成要素」、「モジュール」、「システム」等は、ハードウェア、ファームウェア、ハードウェアとソフトウェアの組み合わせ、ソフトウェア、あるいは実行中のソフトウェアのうちの何れかのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信しうる。
【００１４】
さらに、本明細書では、ある実施形態が、ユーザ機器に関連して記載される。ユーザ機器はまた、ユーザ端末とも呼ばれ、システム、加入者ユニット、加入者局、移動局、モバイル無線端末、モバイル・デバイス、ノード、デバイス、遠隔局、遠隔端末、端末、無線通信デバイス、無線通信装置、またはユーザ・エージェントのうちのいくつかまたはすべてを含みうる。ユーザ機器は、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、１または複数の無線端末と通信するために利用され、アクセス・ポイント、ノード、ノードＢ、イボルブド・ノードＢ（ｅＮＢ）、またはその他いくつかのネットワーク・エンティティと称され、これらの機能のうちのいくつかまたはすべてを含みうる。基地局は、エア・インタフェースで無線端末と通信する。この通信は、１または複数のセクタを介してなされうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作しうる。基地局はまた、エア・インタフェースのための属性の管理を調整し、さらに、有線ネットワークと無線ネットワークとの間のゲートウェイでもありうる。
【００１５】
さまざまな態様、実施形態、または特徴が、多くのデバイス、構成要素、モジュール等を含むシステムの観点から示されるだろう。さまざまなシステムが、図面に関連して説明されるように、追加のデバイス、構成要素、モジュール等を含み、および／または、これらデバイス、構成要素、モジュール等のうちのすべてを含んでいるとは限らないことが理解および認識されるべきである。これらアプローチの組み合わせもまた使用されうる。
【００１６】
さらに、主題とする記載では、「典型的」という用語は、例、事例、または例示として役立つことを意味するために使用される。本明細書で「典型的」として記載された何れの実施形態または設計も、必ずしも、他の実施形態または設計に対して好適であるとも、有利であるとも解釈される必要はない。そうではなく、「典型的」という用語を用いることは、概念を具体的な方式で表すことが意図されている。
【００１７】
開示されたさまざまな実施形態は、通信システムに組み込まれうる。一例では、このような通信システムは、システム帯域幅全体を、周波数サブチャネル、トーン、または周波数ビンとも称される複数（ＮＦ個）のサブキャリアに効率的に分割する直交周波数分割多重（ＯＦＤＭ）を利用する。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる各時間インタバルにおいて、ＮＦ個の周波数サブキャリアのおのおので変調シンボルが送信される。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【００１８】
一般に、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【００１９】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、基地局において複数のアンテナが利用可能である場合、基地局は、順方向リンクで送信ビーム・フォーミング・ゲインを抽出できるようになる。
【００２０】
図１は、開示されたさまざまな実施形態が実現される無線通信システムを例示する。基地局１００は、複数のアンテナ・グループを含みうる。そして、おのおののアンテナ・グループは、１または複数のアンテナを含みうる。例えば、基地局１００が６つのアンテナを備えている場合、１つのアンテナ・グループは、第１のアンテナ１０４および第２のアンテナ１０６を備え、別のアンテナ・グループは、第３のアンテナ１０８および第４のアンテナ１１０を備えうる一方、第３のグループは、第５のアンテナ１１２および第６のアンテナ１１４を備えうる。前述したアンテナ・グループのおのおのは、２つのアンテナを有するものとして特定されているが、２つよりも多くの、または、２つよりも少ないアンテナも各アンテナ・グループで利用されうることが注目されるべきである。
【００２１】
図１に戻って示すように、第１のユーザ機器１１６は、例えば、第１の順方向リンク１２０による第１のユーザ機器１１６への情報の送信と、第１の逆方向リンク１１８による第１のユーザ機器１１６からの情報の受信とを可能にするために、第５のアンテナ１１２および第６のアンテナ１１４と通信しているように例示されている。図１はまた、例えば、第２の順方向リンク１２６による第２のユーザ機器１２２への情報の送信と、第２の逆方向リンク１２４による第２のユーザ機器１２２からの情報の受信とを可能にするために、第３のアンテナ１０８および第４のアンテナ１１０と通信している第２のユーザ機器１２２をも例示している。周波数分割デュプレクス（ＦＤＤ）システムでは、図１に示される通信リンク１１８，１２０，１２４，１２６は、通信のために、異なる周波数を使用しうる。例えば、第１の順方向リンク１２０は、第１の逆方向リンク１１８によって使用されるものとは異なる周波数を使用しうる。
【００２２】
いくつかの実施形態では、通信するように設計された領域および／またはアンテナのおのおののグループは、しばしば、基地局のセクタと称される。例えば、図１に図示される別のアンテナ・グループは、基地局１００のセクタ内のユーザ機器に通信するように設計されうる。順方向リンク１２０，１２６による通信では、基地局１００の送信アンテナは、異なるユーザ機器１１６，１２２のための順方向リンクの信号対雑音比を改善するために、ビームフォーミングを利用する。また、有効通信範囲エリア内にランダムに散在したユーザ機器に送信するためにビームフォーミングを用いる基地局は、近隣セル内のユーザ機器に対して、すべてのユーザ機器に対して単一のアンテナで全方向送信する基地局よりも、少ない干渉しかもたらさない。
【００２３】
図２は、本開示のさまざまな態様に適合しうる典型的な通信システムのブロック図を例示する。図２に示されるＭＩＭＯ通信システム２００は、送信機システム２１０（例えば、基地局またはアクセス・ポイント）と、受信機システム２５０（例えば、アクセス端末またはユーザ機器）と、をＭＩＭＯ通信システム２００に備える。例示されるように、基地局が送信機システム２１０と称され、ユーザ機器が受信機システム２５０と称されていようとも、これらシステムの実施形態は、双方向通信が可能であることが当業者によって認識されるだろう。この点において、用語「送信機システム２１０」および「受信機システム２５０」は、何れかのシステムからの単一方向通信を意味するためには使用されるべきではない。図２の送信機システム２１０および受信機システム２５０はおのおの、図２に明示的に図示されていない他の複数の受信機システムおよび送信機システムと通信することができることもまた注目されるべきである。送信機システム２１０では、多くのデータ・ストリーム用のトラフィック・データが、データ・ソース２１２から送信（ＴＸ）データ・プロセッサ２１４に提供される。おのおののデータ・ストリームは、それぞれの送信機システムを介して送信されうる。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００２４】
おのおののデータ・ストリームの符号化されたデータは、例えばＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、送信機システム２１０のプロセッサ２３０によって実行される命令群によって決定されうる。
【００２５】
図２の典型的なブロック図では、すべてのデータ・ストリームの変調シンボルは、その後、ＴＸ  ＭＩＭＯプロセッサ２２０に提供される。ＴＸ  ＭＩＭＯプロセッサ２２０は、この変調シンボルを（例えば、ＯＦＤＭのために）さらに処理する。ＴＸ  ＭＩＭＯプロセッサ２２０はその後、ＮＴ個の変調シンボル・ストリームを、ＮＴ個の送信機システム・トランシーバ（ＴＭＴＲ）２２２ａ乃至２２２ｔへ提供する。１つの実施形態において、ＴＸ  ＭＩＭＯプロセッサ２２０はさらに、データ・ストリームのシンボル、および、このシンボルが送信されるアンテナへ、ビームフォーミング重みを適用する。
【００２６】
おのおのの送信機システム・トランシーバ２２２ａ乃至２２２ｔは、１または複数のアナログ信号を提供するために、それぞれのシンボル・ストリームを受信して処理し、さらには、ＭＩＭＯチャネルを介した送信に適切な変調信号を提供するために、このアナログ信号を調整する。いくつかの実施形態では、この調整は、限定される訳ではないが、例えば増幅、フィルタ、アップ・コンバート等のような動作を含みうる。送信機システム・トランシーバ２２２ａ乃至２２２ｔによって生成された変調信号は、その後、図２に示されている送信機システム・アンテナ２２４ａ乃至２２４ｔから送信される。
【００２７】
受信機システム２５０では、送信された変調信号が、受信機システム・アンテナ２５２ａ乃至２５２ｒによって受信され、受信機システム・アンテナ２５２ａ乃至２５２ｒのおのおのから受信した信号が、それぞれの受信機システム・トランシーバ（ＲＣＶＲ）２５４ａ乃至２５４ｒへ提供される。おのおのの受信機システム・トランシーバ２５４ａ乃至２５４ｒは、それぞれの受信信号を調整し、この調整された信号をデジタル化してサンプルを提供し、さらにこのサンプルを処理して、対応する「受信された」シンボル・ストリームを提供する。いくつかの実施形態では、この調整は、限定される訳ではないが、例えば増幅、フィルタ、ダウン・コンバート等のような動作を含みうる。
【００２８】
ＲＸデータ・プロセッサ２６０は、その後、受信機システム・トランシーバ２５４ａ乃至２５４ｒからシンボル・ストリームを受信し、受信されたこれらシンボル・ストリームを、特定の受信機処理技術に基づいて処理して、複数個の「検出された」シンボル・ストリームを提供する。一例において、検出されたおのおののシンボル・ストリームは、対応するデータ・ストリームのために送信されたシンボルの推定値であるシンボルを含みうる。ＲＸデータ・プロセッサ２６０は、その後、検出されたおのおののシンボル・ストリームの復調、デインタリーブ、復号、対応するデータ・ストリームのためのトラフィック・データの復元の少なくとも一部を行う。ＲＸデータ・プロセッサ２６０によるこの処理は、送信機システム２１０におけるＴＸ  ＭＩＭＯプロセッサ２２０およびＴＸデータ・プロセッサ２１４によって実行されるものに相補的である。ＲＸデータ・プロセッサ２６０はさらに、処理されたシンボル・ストリームを、データ・シンク２６４へ提供しうる。
【００２９】
いくつかの態様によれば、受信機システム２５０における空間／時間処理の実行、電力レベルの調節、変調レートまたはスキームの変更、および／または、その他の適切な動作のために、ＲＸ  ＭＩＭＯ／データ・プロセッサ２６０によって生成されたチャネル応答推定値が使用されうる。これに加えて、ＲＸデータ・プロセッサ２６０はさらに、例えば、検出されたシンボル・ストリームの信号対雑音比（ＳＮＲ）や、信号対干渉比（ＳＩＲ）のようなチャネル特性を推定しうる。ＲＸデータ・プロセッサ２６０はその後、推定されたチャネル特性を、プロセッサ２７０へ提供しうる。一例において、受信機システム２５０のＲＸデータ・プロセッサ２６０および／またはプロセッサ２７０はさらに、このシステムのための「動作」ＳＮＲの推定値を導出しうる。受信機システム２５０のプロセッサ２７０はその後、通信リンクおよび／または受信したデータ・ストリームに関する情報を含みうるチャネル状態情報（ＣＳＩ）をも提供しうる。例えば、動作ＳＮＲおよびその他のチャネル情報を含みうるこの情報は、例えば、ユーザ機器スケジューリング、ＭＩＭＯ設定、変調および符号化選択等に関する適切な決定を行うために、送信機システム２１０（例えば、基地局またはｅノードＢ）によって使用されうる。受信機システム２５０では、プロセッサ２７０によって生成されたＣＳＩが、ＴＸデータ・プロセッサ２３８によって処理され、変調器２８０によって変調され、受信機システム・トランシーバ２５４ａ乃至２５４ｒによって調整され、送信機システム２１０へ返送される。これに加えて、受信機システム２５０におけるデータ・ソース２３６が、ＴＸデータ・プロセッサ２３８によって処理されるべき追加データを提供しうる。
【００３０】
いくつかの実施形態では、受信機システム２５０におけるプロセッサ２７０はさらに、どのプリコーディング行列を使用するのかを定期的に決定しうる。プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、データ・ソース２３６から多くのデータ・ストリームのトラフィック・データをも受信する、受信機システム２５０におけるＴＸデータ・プロセッサ２３８によって処理される。処理された情報は、その後、変調器２８０によって変調され、受信機システム・トランシーバ２５４ａ乃至２５４ｒのうちの１または複数によって調整され、送信機システム２１０へ返送される。
【００３１】
ＭＩＭＯ通信システム２００のいくつかの実施形態では、受信機システム２５０は、空間的に多重化された信号を受信し、処理することができる。これらのシステムでは、異なるデータ・ストリームを多重化し、送信機システム・アンテナ２２４ａ乃至２２４ｔで送信することによって、送信機システム２１０において空間的な多重化が引き起こる。これは、複数の送信機システム・アンテナ２２４ａ乃至２２４ｔから、同じデータ・ストリームが送信される送信ダイバーシティ・スキームを使用することと対照的である。空間的に多重化された信号を受信および処理することができるＭＩＭＯ通信システム２００では、送信機システム・アンテナ２２４ａ乃至２２４ｔのおのおのから送信された信号が、互いに十分に相関付けられないようにするために、一般に、送信機システム２１０において、プリコーディング行列が使用される。この非相関性は、任意の特定の受信機システム・アンテナ２５２ａ乃至２５２ｒに到着する合成信号が受信されることと、他の送信機システム・アンテナ２２４ａ乃至２２４ｔから、他のデータ・ストリームを伝送する信号が存在する場合、個々のデータ・ストリームが決定されることと、を保証する。
【００３２】
ストリーム間の相互相関量は、環境によって影響されうるので、受信機システム２５０が、受信した信号に関する情報を、送信機システム２１０にフィードバックすることが有利である。これらのシステムでは、送信機システム２１０と受信機システム２５０との両方が、多くのプリコーディング行列を備えたコードブックを含む。いくつかの事例では、これらプリコーディング行列のおのおのは、受信信号で受けた相互相関量に関連しうる。この行列における値とは異なる、特定の行列のインデクスを送信することが有利であるので、受信機システム２５０から送信機システム２１０へ送信されたフィードバック制御信号は、一般に、特定のプリコーディング行列のインデクスを含む。いくつかの事例では、フィードバック制御信号はまた、空間多重化においてどれだけ多くの独立データ・ストリームを使用するのかを、送信機システム２１０に示すランク・インデクスをも含む。
【００３３】
ＭＩＭＯ通信システム２００の別の実施形態は、前述した空間多重化スキームの代わりに、送信ダイバーシティ・スキームを利用するように構成される。これらの実施形態では、同じデータ・ストリームが、送信機システム・アンテナ２２４ａ乃至２２４ｔによって送信される。これらの実施形態では、受信機システム２５０に配信されるデータ・レートは、一般に、空間的に多重化されたＭＩＭＯ通信システム２００よりも低い。これらの実施形態は、通信チャネルのロバスト性および信頼性を提供する。送信ダイバーシティ・スキームでは、送信機システム・アンテナ２２４ａ乃至２２４ｔから送信された信号のおのおのは、異なる干渉環境（例えば、フェージング、反射、マルチ・パス・フェーズ・シフト）を受けるだろう。これらの実施形態では、受信機システム・アンテナ２５４ａ乃至２５４ｒにおいて受信された異なる信号特性が、適切なデータ・ストリームを決定する際に役立つ。これらの実施形態では、ランク・インジケータは、一般に、１に設定され、送信機システム２１０に対して、空間多重化を使用しないように伝える。
【００３４】
他の実施形態は、空間多重化と送信ダイバーシティとの組み合わせを利用しうる。例えば、４つの送信機システム・アンテナ２２４ａ乃至２２４ｔを利用するＭＩＭＯ通信システム２００では、第１のデータ・ストリームが、送信機システム・アンテナ２２４ａ乃至２２４ｔのうちの２つで送信され、第２のデータ・ストリームが、残りの２つの送信機システム・アンテナ２２４ａ乃至２２４ｔで送信されうる。これらの実施形態では、ランク・インデクスは、プリコード行列のフル・ランクよりも低い整数に設定され、送信機システム２１０に対して、空間多重化と送信ダイバーシティとの組み合わせを適用するように指示する。
【００３５】
送信機システム２１０では、受信機システム２５０からの変調信号が、送信機・システム・アンテナ２２４ａ乃至２２４ｒによって受信され、送信機システム・トランシーバ２２２ａ乃至２２２ｔによって調整され、送信機システム復調器２４０によって復調され、ＲＸデータ・プロセッサ２４２によって処理されて、受信機システム２５０によって送信された逆方向リンク・メッセージが抽出される。いくつかの実施形態では、送信機システム２１０のプロセッサ２３０は、その後、将来の順方向リンク送信のために、どのプリコーディング行列を使用するのかを決定し、その後、抽出されたメッセージを処理する。他の実施形態では、プロセッサ２３０は、受信した信号を、将来の順方向リンク送信のために、ビームフォーミング重みを調節するために使用する。
【００３６】
他の実施形態では、レポートされたＣＳＩが、送信機システム２１０のプロセッサ２３０へ提供され、例えば、１または複数のデータ・ストリームのために使用されるべき符号化および変調スキームのみならずデータ・レートを決定するために使用されうる。決定された符号化および変調スキームはその後、量子化および／または受信機システム２５０へのその後の送信において使用するために、送信機システム２１０における１または複数の送信機システム・トランシーバ２２２ａ乃至２２２ｔへ提供されうる。これに加えて、および／または、この代わりに、レポートされたＣＳＩは、ＴＸデータ・プロセッサ２１４およびＴＸ  ＭＩＭＯプロセッサ２２０のためのさまざまな制御を生成するために、送信機システム２１０のプロセッサ２３０によって使用されうる。１つの例では、送信機システム２１０のＲＸデータ・プロセッサ２４２によって処理されたＣＳＩおよび／またはその他の情報が、データ・シンク２４４へ提供されうる。
【００３７】
いくつかの実施形態では、送信機システム２１０におけるプロセッサ２３０および受信機システム２５０におけるプロセッサ２７０は、それぞれのシステムにおける動作を指示する。さらに、送信機システム２１０におけるメモリ２３２と、受信機システム２５０におけるメモリ２７２とが、送信機システム・プロセッサ２３０および受信機システム・プロセッサ２７０のそれぞれによって使用されるプログラム・コードとデータのためのストレージを提供しうる。さらに、受信機システム２５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、「連続ヌルイング／等値化および干渉除去」受信機処理技術、および／または、「連続干渉除去」または「連続除去」受信機処理技術を含みうる。
【００３８】
ラジオ・プロトコル・アーキテクチャは、特定のアプリケーションに依存してさまざまな形態をとりうる。ＬＴＥシステムのための典型的なラジオ・プロトコル・アーキテクチャが、図３に例示されている。図３では、ＵＥおよびｅノードＢのためのラジオ・プロトコル・アーキテクチャが、３つのレイヤ、すなわち、レイヤ１、レイヤ２、およびレイヤ３を有するものとして示される。レイヤ１（Ｌ１）３０２は、最下部レイヤであり、さまざまな物理レイヤ信号処理機能を実施する。レイヤ１は、本明細書では物理レイヤ３０２と称されるだろう。レイヤ２（Ｌ２）３０４は、物理レイヤ３０２の上にあり、物理レイヤ３０２上におけるＵＥとｅノードＢとの間のリンクを担当する。
【００３９】
ユーザ・プレーンでは、Ｌ２レイヤ３０４は、媒体アクセス制御（ＭＡＣ）サブレイヤ３１０と、ラジオ・リンク制御（ＲＬＣ）サブレイヤ３１２と、パケット・データ収束プロトコル（ＰＤＣＰ）サブレイヤ３１４とを含む。これらは、ネットワーク側におけるｅノードＢにおいて終了する。図示されていないが、ＵＥは、Ｌ２レイヤ３０４上に、ネットワーク・レイヤ（例えば、ＩＰレイヤ）とアプリケーション・レイヤとを含むいくつかのサブレイヤを有しうる。
【００４０】
ＰＤＣＰサブレイヤ３１４は、異なるラジオ・ベアラと論理チャネルとの間の多重化を提供する。ＰＤＣＰサブレイヤ３１４はまた、ラジオ送信オーバヘッドを低減するための上部レイヤ・データ・パケットのヘッダ圧縮、データ・パケットを暗号化することによるセキュリティ、および、ＵＥのｅノードＢ間のハンドオーバ・サポートを提供する。ＲＬＣサブレイヤ３１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ３１０は、論理チャネルと伝送チャネルとの間の多重化を提供する。ＭＡＣサブレイヤ３１０はまた、１つのセル内のさまざまなラジオ・リソース（例えば、リソース・ブロック）を、ＵＥ間に割り当てることをも担当する。ＭＡＣサブレイヤ３１０はまた、ＨＡＲＱ動作をも担当する。
【００４１】
制御プレーンでは、ＵＥおよびｅノードＢのためのラジオ・プロトコル・アーキテクチャは、制御プレーンのためのヘッダ圧縮機能が無いことを除いて、物理レイヤ３０８およびＬ２レイヤ３０４について実質的に同じである。制御プレーンはまた、レイヤ３（Ｌ３）３０６にラジオ・リソース制御（ＲＲＣ）サブレイヤ３１６を含んでいる。ＲＲＣサブレイヤ３１６は、ラジオ・リソース（すなわち、ラジオ・ベアラ）を取得することと、ｅノードＢとＵＥとの間のＲＲＣシグナリングを用いて下部レイヤを設定することと、を担当する。
【００４２】
ＤＬ送信とＵＬ送信とをサポートするために、さまざまなフレーム構造が使用されうる。ＬＴＥ  Ｒｅｌ−８で使用される典型的なＤＬフレーム構造が、図４に例示されている。当業者であれば、どの特定のアプリケーションのフレーム構造も、適用可能な無線規格および可能なバリエーションを含む任意の数の要因に依存して異なりうることを理解するであろう。この例では、１０ミリ秒フレームが、等しいサイズの１０のサブフレームに分割される。そして、各サブフレームは、２つの連続する時間スロットを含む。
【００４３】
リソース・グリッドは２つの時間スロットを例示している。ここでは、各時間スロットは、しばしば物理リソース・ブロック（ＰＲＢ）と称される多くのリソース・ブロック（ＲＢ）を備える。サブフレームにおけるリソース・ブロックの数は、システム帯域幅に依存し、ＬＴＥ  Ｒｅｌ−８の場合、（図４に例示するように）６乃至１１０の間で変動しうる。ＬＴＥ−Ａのためには、より広い帯域幅が提案されている。図示されるように、伝送ブロックは、典型的なＤＬフレーム構造におけるＲＢにマップされうる。
【００４４】
リソース・グリッドはさらに、複数のリソース要素（ＲＥ）に分割される。ＬＴＥでは、リソース・ブロックは、合計して８４のリソース要素のために、周波数領域において１２の連続したサブキャリアと、各ＯＦＤＭシンボル内の通常のサイクリック・プレフィクスについて、時間領域において７つの連続したＯＦＤＭシンボルとを含む。（例えば、チャネル条件に基づいて）拡張サイクリック・プレフィクスが使用される場合、リソース・ブロック毎のＯＦＤＭシンボルの数が６に低減され、リソース・ブロック毎のリソース要素の数が７２に低減される。各リソース要素によって伝送されるビットの数は、変調スキームに依存する（例えば、ＱＰＳＫの場合２ビット、１６−ＱＡＭの場合４ビット、６４−ＱＡＭの場合６ビット）。
【００４５】
以下の説明の目的のために、典型的な時間／周波数リソース割当５００が図５に示される。この典型的なリソース割当５００は、便宜上のため、また、説明を容易にするのみのために提供される。そして、開示された実施形態およびここで権利主張されるものはそれに限定されない。図５に例示されるように、サブフレームは、全システム帯域幅にわたって１乃至１４の番号を付された１４のＯＦＤＭシンボルを含む。この構成では、１つの伝送ブロックが、１つのサブフレームに対応する１つの送信時間インタバルで送信されうる。
【００４６】
最初のＯＦＤＭシンボルは、ダウンリンク制御情報（ＤＣＩ）を伝送する物理ダウンリンク制御チャネル（ＰＤＣＣＨ）を備える。ＵＥは、データ部（物理ダウンリンク共有チャネル、ＰＤＳＣＨ）内の、専用ベースまたは他のＵＥとの共通である、どのＲＢが、ＵＥに割り当てられているのかを判定するために、ＤＣＩを復号する。ＤＣＩに加えて、ＰＤＣＣＨは、第１のＯＦＤＭシンボル内に、物理制御フォーマット・インジケータ・チャネル（ＰＣＦＩＣＨ）を含んでいる。これは、システム帯域幅全体に及んでいる。ＰＣＦＩＣＨにおける符号化制御フォーマット・インジケータ（ＣＦＩ）は、ＰＤＣＣＨのために使用されているＯＦＤＭシンボルの数を示す。これによって、ＵＥは、いつ制御チャネルが終了し、データ・チャネルが開始するのかを認識する。ＬＴＥ  Ｒｅｌ−８については、ＰＤＣＣＨの送信のために使用されるＯＦＤＭシンボルの数は、システム帯域幅が１０よりも大きいリソース・ブロックであれば、１，２または３であり、システム帯域幅が６乃至１０のリソース・ブロックであれば、２，３または４である。しかしながら、ここで考慮される実施形態は、これに限定されない。ＰＤＣＣＨはまた、物理ハイブリッド自動反復要求インジケータ・チャネル（ＰＨＩＣＨ）および復調基準信号（ＤＭ−ＲＳ）をも含む。割当の残りは、物理ダウンリンク共有データ・チャネル（ＰＤＳＣＨ）を備える。
【００４７】
ＬＴＥ−アドバンスト（ＬＴＥ−Ａ）では、ＵＥは、キャリア間リソース割当とともに複数のキャリアを受信できうる。例えば、ＵＥは、キャリアＡおよびキャリアＢを受信するように構成されうる。（例えば、高いレベルの干渉またはフェージングによって）キャリアＡのＰＣＦＩＣＨの信頼性が低い場合、キャリアＡとキャリアＢとの両方の制御情報を、キャリアＢで送信することが好適でありうる。
【００４８】
本開示の１つの態様では、キャリアＡのＣＦＩが、キャリアＢのデータ・チャネル（ＰＤＳＣＨ）に含まれている。これは、レイヤ３ＲＲＣシグナリングによって伝送されうる。別の態様では、（キャリアＡにおけるＰＣＦＩＣＨからＣＦＩを正しく復号できるＵＥのために）キャリアＡのみならず、（キャリアＡにおけるＰＣＦＩＣＨからＣＦＩを復号できないＵＥのために）キャリアＢにおいても、キャリアＢのデータ・チャネルにおけるＲＲＣシグナリングを用いて、従来のＰＣＦＩＣＨで伝送される。
【００４９】
ＣＦＩの変更は非同期的であり、サブフレーム毎に生じうる。スケジュールされているキャリアでＰＣＦＩＣＨを用いて、ＣＦＩが従来の手法で送信される場合、ＵＥは、サブフレームのシンボルを、サブフレームのスロット０における最初のＯＦＤＭシンボル（シンボル１）から始まって、サブフレームの終わりまで、受信順に復号する。最初のＯＦＤＭシンボルが復号された後、ＵＥは、ＰＤＣＣＨのためにいくつのＯＦＤＭシンボルが使用されているのかと、ＰＤＳＣＨがどこで始まるのかを認識する。すなわち、ＰＤＣＣＨが、１つのＯＦＤＭシンボル（シンボル１）を占有するのであれば、ＰＤＳＣＨは、ＯＦＤＭシンボル２で始まる。ＰＤＣＣＨが、２つのＯＦＤＭシンボル（シンボル１，２）を占有するのであれば、ＰＤＳＣＨは、ＯＦＤＭシンボル３で始まる。ＰＤＣＣＨが、３つのＯＦＤＭシンボル（シンボル１，２，３）を占有するのであれば、ＰＤＳＣＨは、ＯＦＤＭシンボル４で始まる。システム帯域幅が、１０未満のＲＢ幅である場合、ＰＤＣＣＨのサイズは、２，３または４つのＯＦＤＭシンボルであり、ここでＰＤＳＣＨはそれぞれ、シンボル３，４または５で始まる。
【００５０】
マルチ・キャリア・システムの１つの実施形態では、ｅノードＢは、キャリアＡの伝送ブロックの最初のＯＦＤＭシンボルにおいて、従来の方式で、キャリアＡのためのＰＣＦＩＣＨを送信しうる。ＵＥがキャリアＡでキャリアＡのＰＣＦＩＣＨを受信し、正しく復号した場合、キャリアＡ伝送ブロックの処理は、通常通り続く。しかしながら、ＵＥは、キャリアＡにおけるＰＣＦＩＣＨを復号できない場合、キャリアＢの伝送ブロックのデータ・チャネルから、キャリアＡのＣＦＩを復号するように構成されうる。ここで、データ・チャネルにおけるＣＦＩは、ｅノードＢのＲＲＣレイヤによってシグナルされうる。
【００５１】
しかしながら、このシナリオでは、キャリアＢのデータ・チャネルでシグナルされたＣＦＩが、キャリアＡの制御チャネルの現在のサイズにおける変化（増加または減少）を示すのであれば、ＵＥとｅノードＢとは同期しなくなりうる。ｅノードＢは、ＵＥから、新たなＣＦＩ値が復号されたとのアクノレッジメントを受信するまで、キャリアＡにおけるＵＥへの送信を停止できるであろう。この時点において、ｅノードＢは、同期制御チャネルを用いて、キャリアＡを用いてＵＥへ送信し続けるだろう。ここでは、ＵＥは、キャリアＡの伝送ブロックにおいて、制御チャネルがどこで終了し、データ・チャネルがどこで始まっているのかを認識する、そうではない場合、ＵＥは、データを制御情報として復号し、制御情報を破壊するか、または、制御情報をデータとして復号し、データを破壊する。しかしながら、ＵＥからのアクノレッジメントを待っている間、キャリアＡでの送信を停止することは、スループットを下げることになるであろうから、望ましくない場合がある。
【００５２】
本開示の１つの態様では、スループットを最大にするために、ＵＥとｅノードＢとは、ごくわずかな性能低下だけで連続的な送信および受信を可能にするルールのセットを実施しうる。例えば、ＵＥがｅノードＢによって、Ｎ個のＯＦＤＭシンボルの制御チャネル・サイズを期待するように既に設定され、かつ、ｅノードＢとＵＥとが同期していると仮定されたい。また、ｅノードＢが、キャリアＢのデータ・チャネルで、キャリアＡの新たな制御チャネル・サイズＮ’（Ｎプライム）をシグナルすると仮定する。本開示によって、ｅノードＢは、ＵＥからのアクノレッジメントを受信することを待つのではなく、ある制約のもとで、送信し続けることが可能となる。
【００５３】
以下の説明のために、明確化のために、ショート・サイクリック・プレフィクスを用いたＬＴＥ  Ｒｅｌ−８サブフレーム構成が仮定される（図５）。この構成では、１乃至１４と付番された１４のＯＦＤＭシンボルが存在する。これによって、基数（１−１４）は、序数（第１−第１４）に一致するようになる。
【００５４】
ＵＥとｅノードＢとはＮ＝２において同期している（すなわち、ＯＦＤＭシンボル１，２は、制御チャネルを備え、ＯＦＤＭシンボル３−１４は、データ・チャネルを備える）と仮定されたい。Ｎ’＝３（つまり、Ｎ’＞Ｎ）の場合、ｅノードＢは、キャリアＢで新たな値をシグナルするが、キャリアＡで、２つのＯＦＤＭシンボル（シンボル１＆２）からなる制御チャネルを用いて伝送ブロックを送信し続ける。ｅノードＢは、ＵＥが、新たなＣＦＩ値（Ｎ’）を復号したとのアクノレッジメントをＵＥから受信し、キャリアＡにおけるデータ・チャネルおよび制御チャネルの正しいサイズを認識するまで、ＯＦＤＭシンボル４−１４でデータを送信し、ＯＦＤＭシンボル３は、何も入っていないまま残る。この時点において、ｅノードＢは、ＯＦＤＭシンボル３がＵＥによって正しく解釈されるであろうことを認識し、制御情報でＯＦＤＭシンボル３を占有し始める。
【００５５】
このシナリオでは、ＵＥとｅノードＢとが最初にＮ＝２において同期され、ｅノードＢが、Ｎ＝２からＮ’＝３（Ｎ’＞Ｎ）に変化する場合、ＵＥは以下のように振る舞う。ＵＥは、キャリアＢのデータ・チャネルから新たなＣＦＩ値を復号した場合、ｅノードＢへアクノレッジメントを送信し、非シーケンシャルな順序を用いて、その後のキャリアＡ伝送ブロックの復号を開始する。この説明のために、キャリアＡにおける制御チャネルの最大サイズがＮｍａｘ＝３であるシステム帯域幅を仮定されたい。ＣＦＩ値が（２から３へ）増加した場合、ＵＥは、伝送ブロック内の（Ｎｍａｘ＋１）番目のＯＦＤＭシンボル（この例では、ＯＦＤＭシンボル４）から始まって、最後のＯＦＤＭシンボル（シンボル１４）まで完全に伝送ブロックを復号することを開始する。その後、ＵＥは、（Ｎｍａｘ）番目のシンボル（シンボル３）へ戻り、シンボル３，２，１をこの順序で復号する（伝送ブロックは、バッファに格納され、ここで、任意の順序で復号されうる）。この復号の順序は、復号される最初のシンボルが、雑音ではなく、実際にデータ・シンボル（および復調基準信号）であり、良好な復号となることを保証する。
【００５６】
ＵＥは次に、シンボル１，２，３を、制御チャネル・シンボルとして復号することを試みる。しかしながら、シンボル３は最初は（ＵＥからＡＣＫを受信するまで）ｅノードＢによって占有されていないので、シンボル３は、雑音として復号し、制御チャネルの信号対雑音比は、幾分低下するであろう。しかしながら、制御チャネルは、破壊されないであろう。ＵＥは、新たなＣＦＩ値（Ｎ’）を用いて、シンボル４−１４をデータとして解釈するだろう。前述したように、ｅノードＢによって送信されるデータは、シンボル４−１４に制限され、データは正しく復号されるだろう。
【００５７】
Ｎ’＜Ｎである場合、動作は異なる。例えば、ＵＥとｅノードＢとがＮ＝２において同期している（すなわち、前述したように、ＯＦＤＭシンボル１，２が、制御チャネルを備え、ＯＦＤＭシンボル３−１４が、データ・チャネルを備えている）と仮定されたい。Ｎ’＝１（すなわち、Ｎ’＜Ｎ）である場合、ｅノードＢは、制御チャネルが１つのＯＦＤＭシンボル（シンボル１）からなる割当で、キャリアＢで新たな値をシグナルし、キャリアＡで、伝送ブロックを送信する。ｅノードＢは、ＵＥが新たなＣＦＩ値（Ｎ’）を復号したとのアクノレッジメントをＵＥから受信し、キャリアＡにおけるデータ・チャネルと制御チャネルとの正しいサイズを認識するまで、ＯＦＤＭシンボル３−１４でデータを送信しうる（ＯＦＤＭシンボル２は占有されないまま残る）。この時点において、ｅノードＢは、データがＵＥによって正しく解釈されるであろうことを認識するので、データでＯＦＤＭシンボル２を占有し始める。
【００５８】
このシナリオでは、ＵＥとｅノードＢとが最初にＮ＝２において同期され、ｅノードＢが、Ｎ＝２からＮ’＝１（Ｎ’＜Ｎ）への変更をシグナルすると、ＵＥは以下のように振る舞う。ＵＥは、キャリアＢのデータ・チャネルから新たなＣＦＩ値を復号した場合、前述したように、ｅノードＢへアクノレッジメントを送信し、非シーケンシャルな順序を用いて、その後のキャリアＡ伝送ブロックの復号を開始する。繰り返すが、キャリアＡにおける制御チャネルの最大サイズは、Ｎｍａｘ＝３であると仮定されたい。ＣＦＩ値が（２から１へ）減少した場合、ＵＥは、伝送ブロック内の（Ｎｍａｘ＋１）番目のＯＦＤＭシンボル（この例では、前述したように、ＯＦＤＭシンボル４）から始まって、最後のＯＦＤＭシンボル（シンボル１４）まで完全に伝送ブロックを復号することを開始する。その後、ＵＥは、（Ｎｍａｘ）番目のシンボル（シンボル３）へ戻り、逆の順序３，２，１でシンボルを復号する（前述したように、伝送ブロックは、バッファに格納され、ここで、任意の順序で読み出されうる）。
【００５９】
ＵＥは、シンボル１を制御情報として、シンボル２，３をデータ・シンボルとして復号することを試みるであろう。前述したように、制御チャネルは、ＣＦＩにおける変化がシグナルされた場合に、ｅノードＢによって、シンボル１に制限されるだろう。これによって、ＵＥは、シンボル１を、制御情報として正しく解釈するだろう。ＵＥは、新たなＣＦＩ値（Ｎ’＝１）を用いて、シンボル２−１４をデータとして復号することを試みるだろう。しかしながら、シンボル２，３は最初は、（ＵＥからＡＣＫを受信するまで、）ｅノードＢによって占有されていないので、シンボル２，３は、雑音として復号し、データ・チャネルの信号対雑音比は、幾分低下するだろう。しかしながら、データ・チャネルは破壊されないだろう。
【００６０】
前述されたＲＲＣシグナリングに対する代替案は、予め定めたＯＦＤＭシンボルにおいて、キャリアＢにおけるＰＤＳＣＨデータをパンクチャし、パンクチャされたデータを、キャリアＡのＣＦＩと交換することである。例えば、ＣＦＩは、予め定められたリソース要素（例えば、伝送ブロックにおける４番目のＯＦＤＭシンボル）においてパンクチャされうる。
【００６１】
図６は、１つの実施形態にしたがうＵＥにおける方法６００を例示するフローチャートである。図６では、方法６００は、動作６０２において始まり、第２のキャリアの伝送ブロックのデータ・チャネルから、第１のキャリアの制御フォーマット情報が復号される。ここで、制御フォーマット情報は、第１のキャリアの制御チャネルを備えるシンボルの数Ｎを指定する。ここで、Ｎは、最小値Ｎｍｉｎおよび最大値Ｎｍａｘを有する。この方法は、動作６０４において継続し、ここで、伝送ブロックの（Ｎｍａｘ＋１）番目のシンボルから伝送ブロックの最後のシンボルまで、伝送ブロックからのシンボルが、第１のキャリアから復号される。この方法は、動作６０６で終了し、ここで、第１のキャリアの伝送ブロックの（Ｎｍａｘ）番目のシンボルから（Ｎｍｉｎ＋１）番目のシンボルへと、逆の順序で、伝送ブロックからのシンボルが復号される。
【００６２】
図７は、１つの実施形態にしたがう、ｅノードＢにおける方法７００を例示するフローチャートである。図７では、方法７００は、動作７０２において始まり、ここでは、第２のキャリアの伝送ブロックのデータ・チャネルで、第１のキャリアの制御フォーマット情報が送信される。ここで、制御フォーマット情報は、第１のキャリアの制御チャネルを備えるシンボルの数Ｎを指定する。ここで、Ｎは、最小値Ｎｍｉｎおよび最大値Ｎｍａｘを有する。この方法は、動作７０４において継続し、ここでは、第１のキャリアで伝送ブロックが送信される。ここで、各伝送ブロックのシンボル（Ｎ＋１）乃至最後のシンボルは、データとともに符号化され、シンボル（Ｎｍｉｎ＋１）乃至Ｎは符号化されない。次に、動作７０６では、ｅノードＢが、アクノレッジメントを受信する。ここで、アクノレッジメントは、制御フォーマット情報が無線端末によって復号されたことを示すように構成される。動作７０８では、ｅノードＢが、第１のキャリアで伝送ブロックを送信する。ここで、各伝送ブロックのシンボル（Ｎｍｉｎ＋１）乃至Ｎは、Ｎの値が、Ｎの前の値よりも小さい場合に、データとともに符号化される。また、動作７１０では、ｅノードＢが第１のキャリアで伝送ブロックを送信する。ここで、シンボル（Ｎｍｉｎ＋１）乃至Ｎは、Ｎの値が、Ｎの前の値よりも大きい場合に、制御情報とともに符号化される。
【００６３】
図８は、開示されたさまざまな実施形態が実施される装置８００を例示する。特に、図８に示される装置８００は、基地局のうちの少なくとも一部、またはユーザ機器のうちの少なくとも一部、および／または、（例えば、図２に示される送信機システム２１０および受信機システム２５０のような）送信機システムまたは受信機システムのうちの少なくとも一部を備えうる。図８に図示される装置８００は、無線ネットワーク内に存在しうる。そして、例えば、１または複数の受信機および／または適切な受信および復号回路（例えば、アンテナ、トランシーバ、復調器等）を介して、到来データを受信しうる。図８に図示される装置８００はまた、例えば、１または複数の送信機、および／または、適切な符号および送信回路（例えば、アンテナ、トランシーバ、変調器等）によって、送出データを送信しうる。さらに、または、代わりに、図８に図示される装置８００は、有線ネットワーク内に存在しうる。
【００６４】
図８はさらに、例えば、信号調整、分析等のような１または複数の動作を実行するための命令群を保持しうるメモリ８０２を含みうる装置８００を例示する。さらに、図８の装置８００は、メモリ８０２に格納された命令群、および／または、別のデバイスから受信した命令群を実行しうるプロセッサ８０４を含みうる。これら命令群は、装置８００または関連する通信装置を設定すること、または、動作させることに関連しうる。図８に図示されるメモリ８０２は、単一のブロックとして示されているが、個別の物理ユニットおよび／または論理ユニットを構成する複数の個別のメモリを備えうることが注目されるべきである。さらに、メモリは、プロセッサ８０４に通信可能に接続されながら、図８に図示される装置８００の完全な外部に、または部分的に外部に存在しうる。
【００６５】
開示された実施形態に関連して記載されたメモリは、揮発性メモリか不揮発性メモリの何れかであるか、揮発性メモリと不揮発性メモリとの両方を含みうることが認識されるだろう。限定するのではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。
【００６６】
本明細書に記載されたシステムおよび装置は、ユーザ機器またはモバイル・デバイスとともに適用され、例えば、ＳＤカード、ネットワーク・カード、無線ネットワーク・カード、（ラップトップ、デスクトップ、情報携帯端末ＰＤＡを含む）コンピュータ、モバイル電話、スマート・フォン、または、ネットワークにアクセスするために利用されうるその他任意の適切な端末のようなモジュールでありうることが注目される。ユーザ機器は、アクセス構成要素（図示せず）を経由してネットワークにアクセスする。一例において、ユーザ機器とアクセス構成要素との間の接続は、本質的には無線である。ここでは、アクセス構成要素は基地局であり、ユーザ機器は無線端末である。例えば、端末および基地局は、限定される訳ではないが、時分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、あるいはその他任意の適切なプロトコルを含む任意の適切な無線プロトコルによって通信しうる。
【００６７】
アクセス構成要素は、有線ネットワークまたは無線ネットワークに関連付けられたアクセス・ノードでありうる。この目的のために、アクセス構成要素は、例えば、ルータ、スイッチ等でありうる。アクセス構成要素は、他のネットワーク・ノードと通信するために、例えば通信モジュールのような１または複数のインタフェースを含みうる。さらに、アクセス構成要素は、セルラ・タイプ・ネットワークにおける基地局（または、無線アクセス・ポイント）でありうる。ここで、基地局（または無線アクセス・ポイント）は、複数のサブキャリアへ無線有効通信範囲エリアを提供するために利用される。このような基地局（あるいは無線アクセス・ポイント）は、１または複数のセルラ電話および／またはその他の無線端末に、有効通信範囲の連続した領域を提供するように構成されうる。
【００６８】
本明細書に記載された実施形態および特徴は、ハードウェア、ソフトウェア、ファームウェア、あるいはこれらの任意の組み合わせによって実現されうることが理解されるべきである。本明細書に記載されたさまざまな実施形態は、方法または処理の一般的なコンテキストで説明される。これは、１つの実施形態では、ネットワーク環境においてコンピュータによって実行される、例えばプログラム・コードのようなコンピュータ実行可能な命令群を含む、コンピュータ読取可能な媒体に組み込まれたコンピュータ・プログラム製品によって実現されうる。前述したように、メモリおよび／またはコンピュータ読取可能な媒体は、リムーバブル記憶デバイスや、限定される訳ではないが、読取専用メモリ（ＲＯＭ）、ランダム・アクセス・メモリ（ＲＡＭ）、コンパクト・ディスク（ＣＤ）、デジタル多用途ディスク（ＤＶＤ）等を含む非リムーバブル記憶デバイスを含みうる。ソフトウェアで実現される場合、これら機能は、コンピュータ読取可能な媒体に格納されるか、１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。
【００６９】
さらに、いかなる接続も、コンピュータ読取可能な媒体と適切に称される。例えば、同軸ケーブル、光ファイバ・ケーブル、ツイスト・ペア、またはデジタル加入者線（ＤＳＬ）を使用して、ウェブサイト、サーバ、あるいはその他の遠隔ソースからソフトウェアが送信される場合、同軸ケーブル、光ファイバ・ケーブル、ツイスト・ペア、またはＤＳＬは、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７０】
一般に、プログラム・モジュールは、特定のタスクを実行したり、または、特定の理想的なデータ・タイプを適用する、ルーチン、プログラム、オブジェクト、構成要素、データ構造等を含みうる。コンピュータ実行可能な命令群、関連付けられたデータ構造、および、プログラム・モジュールは、本明細書で開示された方法のステップを実行するためのプログラム・コードの例を示す。実行可能なこのような命令群または関連付けられたデータ構造からなる特定のシーケンスは、このようなステップまたは処理において記載された機能を実施するための対応する動作の例を示す。
【００７１】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。
【００７２】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部および／またはプロセッサの外部に実装されうる。プロセッサの外部に実装される場合、当該技術分野で周知であるさまざまな手段によってプロセッサに通信可能に接続されうる。さらに、少なくとも１つのプロセッサが、本明細書に記載された機能を実行するように動作可能な１または複数のモジュールを含みうる。
【００７３】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ｃｄｍａ２０００およびＵＭＢは、「第３世代パートナシップ計画２」（３ＧＰＰ２）と命名された組織からの文書に記載されている。さらに、このような無線通信システムは、しばしばペアを持たない無許可のスペクトルを用いるピア・トゥ・ピア（例えば、ユーザ機器・トゥ・ユーザ機器）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００７４】
シングル・キャリア変調および周波数領域等値化を利用するシングル・キャリア周波数分割多元接続（ＳＣ−ＦＤＭＡ）は、開示された実施形態とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点から、低いＰＡＰＲがユーザ機器に利益をもたらすアップリンク通信において利用されうる。
【００７５】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能な媒体を示しうる。用語「機械読取可能な媒体」は、限定されることなく、無線チャネル、および、命令群および／またはデータを格納、包含、および／または搬送することができるその他任意の媒体を含みうる。これに加えて、コンピュータ・プログラム製品は、本明細書に記載された機能をコンピュータに対して実行させるように動作可能な１または複数の命令群あるいはコードを有するコンピュータ読取可能な媒体を含みうる。
【００７６】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの実施形態では、プロセッサと記憶媒体が、ＡＳＩＣ内に存在しうる。さらに、ＡＳＩＣは、ユーザ機器内に存在しうる。あるいは、プロセッサおよび記憶媒体は、ユーザ機器内のディスクリート部品として存在しうる。さらに、いくつかの実施形態によれば、アルゴリズムまたは方法のステップおよび／または動作は、コンピュータ・プログラム製品に組み込まれうる機械読取可能な媒体および／またはコンピュータ読取可能な媒体上のコードおよび／または命令群の１つ、任意の組み合わせ、またはセットとして存在しうる。
【００７７】
前述した開示は、例示的な実施形態を開示しているが、さまざまな変更および修正が、特許請求の範囲で定義されたような説明された実施形態の範囲から逸脱することなくなされうることが注目されるべきである。したがって、記載された実施形態は、特許請求の範囲のスコープ内にあるこのようなすべての変形、修正、および変更を含むことが意図される。さらに、説明された実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の実施形態のすべてまたは一部とともに利用されうる。
【００７８】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
以下に、本願出願の当初の特許請求の範囲に記載された発明を付記する。
［Ｃ１］
無線端末における方法であって、
第２のキャリアのデータ・チャネルから、第１のキャリアの制御フォーマット情報を復号することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号することと、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号することと、
を備える方法。
［Ｃ２］
前記制御フォーマット情報が復号されたことを示すインジケーションを含む、前記制御フォーマット情報のアクノレッジメントを送信すること、をさらに備えるＣ１に記載の方法。
［Ｃ３］
前記伝送ブロックのシンボル（Ｎ＋１）乃至最後のシンボルを、データとして解釈すること、をさらに備えるＣ１に記載の方法。
［Ｃ４］
前記伝送ブロックのシンボル１乃至Ｎを、制御情報として解釈すること、をさらに備えるＣ１に記載の方法。
［Ｃ５］
前記制御フォーマット情報は、ラジオ・リソース制御（ＲＲＣ）レイヤによってシグナルされた制御フォーマット・インジケータ（ＣＦＩ）を備える、Ｃ１に記載の方法。
［Ｃ６］
基地局における方法であって、
第２のキャリアの伝送ブロックのデータ・チャネルで、第１のキャリアの制御フォーマット情報を送信することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信することと、ここで、各伝送ブロックのシンボル（Ｎ＋１）乃至最後のシンボルは、データとともに符号化され、シンボル（Ｎｍｉｎ＋１）乃至Ｎは符号化されない、
を備える方法。
［Ｃ７］
前記制御フォーマット情報が無線端末によって復号されたことを示すアクノレッジメントを受信することと、
前記第１のキャリアで伝送ブロックを送信することと、ここで、各伝送ブロックのシンボル（Ｎｍｉｎ＋１）乃至Ｎは、Ｎの値が、Ｎの前の値よりも小さい場合に、データとともに符号化される、
前記第１のキャリアで伝送ブロックを送信することと、ここで、各伝送ブロックのシンボル（Ｎｍｉｎ＋１）乃至Ｎは、Ｎの値が、Ｎの前の値よりも大きい場合に、制御情報とともに符号化される、
をさらに備えるＣ６に記載の方法。
［Ｃ８］
無線端末であって、
第２のキャリアのデータ・チャネルから、第１のキャリアの制御フォーマット情報を復号する手段と、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号する手段と、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号する手段と、
を備える無線端末。
［Ｃ９］
前記制御フォーマット情報のアクノレッジメントを送信する手段をさらに備え、
前記アクノレッジメントは、前記制御フォーマット情報が復号されたことを示すインジケーションを含む、Ｃ８に記載の無線端末。
［Ｃ１０］
前記伝送ブロックのシンボル（Ｎ＋１）乃至最後のシンボルを、データとして解釈する手段、をさらに備えるＣ８に記載の無線端末。
［Ｃ１１］
前記伝送ブロックのシンボル１乃至Ｎを、制御情報として解釈する手段、をさらに備えるＣ８に記載の無線端末。
［Ｃ１２］
前記制御フォーマット情報は、ラジオ・リソース制御（ＲＲＣ）レイヤによってシグナルされた制御フォーマット・インジケータ（ＣＦＩ）を備える、Ｃ８に記載の無線端末。
［Ｃ１３］
基地局であって、
第２のキャリアのデータ・チャネルで、第１のキャリアの制御フォーマット情報を送信する手段と、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信する手段と、ここで、各伝送ブロックのシンボル（Ｎ＋１）乃至最後のシンボルは、データとともに符号化され、シンボル（Ｎｍｉｎ＋１）乃至Ｎは符号化されない、
を備える基地局。
［Ｃ１４］
前記制御フォーマット情報が無線端末によって復号されたことを示すアクノレッジメントを受信する手段と、
前記第１のキャリアで伝送ブロックを送信する手段と、ここで、各伝送ブロックのシンボル（Ｎｍｉｎ＋１）乃至Ｎは、Ｎの値が、Ｎの前の値よりも小さい場合に、データとともに符号化される、
前記第１のキャリアで伝送ブロックを送信する手段と、ここで、各伝送ブロックのシンボル（Ｎｍｉｎ＋１）乃至Ｎは、Ｎの値が、Ｎの前の値よりも大きい場合に、制御情報とともに符号化される、
をさらに備えるＣ１２に記載の基地局。
［Ｃ１５］
装置であって、
プロセッサと、
前記プロセッサによって実行された場合、
第２のキャリアのデータ・チャネルから、第１のキャリアの制御フォーマット情報を復号することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号することと、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号することと、
を実行するように前記装置を設定するプロセッサ実行可能な命令群を備えるメモリと、
を備える装置。
［Ｃ１６］
前記プロセッサによって実行された場合、前記制御フォーマット情報のアクノレッジメントを送信すること、ここで、前記アクノレッジメントは、前記制御フォーマット情報が復号されたことを示すインジケーションを含む、を実行するように前記装置を設定するプロセッサ実行可能な命令群をさらに備える、Ｃ１５に記載の装置。
［Ｃ１７］
前記プロセッサによって実行された場合、前記伝送ブロックのシンボル（Ｎ＋１）乃至最後のシンボルを、データとして解釈すること、を実行するように前記装置を設定するプロセッサ実行可能な命令群をさらに備える、Ｃ１５に記載の装置。
［Ｃ１８］
前記プロセッサによって実行された場合、前記伝送ブロックのシンボル１乃至Ｎを、制御情報として解釈すること、を実行するように前記装置を設定するプロセッサ実行可能な命令群をさらに備える、Ｃ１５に記載の装置。
［Ｃ１９］
前記制御フォーマット情報は、ラジオ・リソース制御（ＲＲＣ）レイヤによってシグナルされた制御フォーマット・インジケータ（ＣＦＩ）を備える、Ｃ１５に記載の装置。
［Ｃ２０］
装置であって、
プロセッサと、
前記プロセッサによって実行された場合、
第２のキャリアのデータ・チャネルで、第１のキャリアの制御フォーマット情報を送信することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信することと、ここで、各伝送ブロックのシンボル（Ｎ＋１）乃至最後のシンボルは、データとともに符号化され、シンボル（Ｎｍｉｎ＋１）乃至Ｎは符号化されない、
を実行するように前記装置を設定するプロセッサ実行可能な命令群を備えるメモリと、
を備える装置。
［Ｃ２１］
前記プロセッサによって実行された場合、
制御フォーマット情報が無線端末によって復号されたことを示すアクノレッジメントを受信することと、
前記第１のキャリアで伝送ブロックを送信することと、ここで、各伝送ブロックのシンボル（Ｎｍｉｎ＋１）乃至Ｎは、Ｎの値が、Ｎの前の値よりも小さい場合に、データとともに符号化される、
前記第１のキャリアで伝送ブロックを送信することと、ここで、各伝送ブロックのシンボル（Ｎｍｉｎ＋１）乃至Ｎは、Ｎの値が、Ｎの前の値よりも大きい場合に、制御情報とともに符号化される、
を実行するように前記装置を設定するプロセッサ実行可能な命令群をさらに備える、Ｃ２０に記載の装置。
［Ｃ２２］
命令群を有する非一時的な機械読取可能な媒体を備える製造物品であって、
前記命令群は、前記機械によって実行されると、
第２のキャリアのデータ・チャネルから、第１のキャリアの制御フォーマット情報を復号することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアの伝送ブロックの（Ｎｍａｘ＋１）番目のシンボルから、前記伝送ブロックの最後のシンボルまで、前記伝送ブロックからのシンボルを復号することと、
前記第１のキャリアの伝送ブロックの（Ｎｍａｘ）番目のシンボルから（Ｎｍｉｎ＋１）番目のシンボルへと、逆の順序で、前記伝送ブロックからのシンボルを復号することと、
を実行するように前記機械を設定する、製造物品。
［Ｃ２３］
前記制御フォーマット情報のアクノレッジメントを送信するように前記機械を設定する命令群をさらに備え、
前記アクノレッジメントは、前記制御フォーマット情報が復号されたことを示すインジケーションを含む、Ｃ２２に記載の製造物品。
［Ｃ２４］
前記伝送ブロックのシンボル（Ｎ＋１）乃至最後のシンボルを、データとして解釈するように前記機械を設定する命令群をさらに備える、Ｃ２２に記載の製造物品。
［Ｃ２５］
前記伝送ブロックのシンボル１乃至Ｎを、制御情報として解釈するように前記機械を設定する命令群をさらに備える、Ｃ２２に記載の製造物品。
［Ｃ２６］
前記制御フォーマット情報は、ラジオ・リソース制御（ＲＲＣ）レイヤによってシグナルされた制御フォーマット・インジケータ（ＣＦＩ）を備える、Ｃ２２に記載の製造物品。
［Ｃ２７］
命令群を有する非一時的な機械読取可能な媒体を備える製造物品であって、
前記命令群は、前記機械によって実行されると、
第２のキャリアのデータ・チャネルで、第１のキャリアの制御フォーマット情報を送信することと、ここで、前記制御フォーマット情報は、前記第１のキャリアの制御チャネルを備えるシンボルの数Ｎを指定する、ここで、Ｎは、最小値Ｎｍｉｎおよび最大値Ｎｍａｘを有する、
前記第１のキャリアで伝送ブロックを送信することと、ここで、各伝送ブロックのシンボル（Ｎ＋１）乃至最後のシンボルは、データとともに符号化され、シンボル（Ｎｍｉｎ＋１）乃至Ｎは符号化されない、
を実行するように前記機械を設定する、製造物品。
［Ｃ２８］
前記制御フォーマット情報が無線端末によって復号されたことを示すアクノレッジメントを受信することと、
前記第１のキャリアで伝送ブロックを送信することと、ここで、各伝送ブロックのシンボル（Ｎｍｉｎ＋１）乃至Ｎは、Ｎの値が、Ｎの前の値よりも小さい場合に、データとともに符号化される、
前記第１のキャリアで伝送ブロックを送信することと、ここで、各伝送ブロックのシンボル（Ｎｍｉｎ＋１）乃至Ｎは、Ｎの値が、Ｎの前の値よりも大きい場合に、制御情報とともに符号化される、
を実行するように前記機械を設定する命令群をさらに備える、Ｃ６に記載の製造物品。
［Ｃ２９］
方法であって、
前記第１のキャリアの伝送ブロックの、予め定められたシンボルにおいて、第１のキャリアにおけるデータをパンクチャすることと、
前記第１のキャリアの伝送ブロックの、予め定められたシンボルにおいてパンクチャされたデータを、第２のキャリアの制御フォーマット情報と交換することと、
を備える方法。
【図１】
0005524360.tif 000002
【図２】
0005524360.tif 000003
【図３】
0005524360.tif 000004
【図４】
0005524360.tif 000005
【図５】
0005524360.tif 000006
【図６】
0005524360.tif 000007
【図７】
0005524360.tif 000008
【図８】
0005524360.tif 000009